(57)【特許請求の範囲】
【請求項１】
表示領域と前記表示領域を囲む非表示領域が定義され、第１ないし第４辺を有する第１基板と；
前記第１基板の第２ないし第４辺に対応する前記非表示領域に形成される第１共通配線を含む複数の共通配線と；
前記第１基板と向かい合って離隔された第２基板と；
前記第２基板の全面に形成される共通電極と；
前記第１及び第２基板間に形成される液晶層と；
前記複数の共通配線に共通電圧を供給する共通電圧補償回路を含む駆動ＰＣＢユニットと
を含み、
前記第１辺は前記駆動ＰＣＢユニットに隣接する辺であり、前記第３辺は前記１辺と対向する辺であり、前記複数の共通配線によって形成される複数のループがいずれも実質的に同じ抵抗を有するように前記複数の共通配線が前記第２ないし第４辺に対応する前記非表示領域に形成されることを特徴とする液晶表示装置。
【請求項２】
前記第１基板の第２辺に連結される複数のゲート駆動ユニットと；
前記第１基板の第１辺に連結される複数のデータ駆動ユニットと
をさらに含み、前記駆動ＰＣＢユニットが前記複数のデータ駆動ユニットに連結されることを特徴とする請求項１に記載の液晶表示装置。
【請求項３】
前記複数のゲート駆動ユニットそれぞれはゲートドライバＩＣを含み、前記複数のデータ駆動ユニットそれぞれはデータドライバＩＣを含むことを特徴とする請求項２に記載の液晶表示装置。
【請求項４】
前記複数の共通配線が、前記ゲート駆動ユニットと前記第１基板の第２辺に形成されてジグザグ形状を有する第２共通配線をさらに含むことを特徴とする請求項２に記載の液晶表示装置。
【請求項５】
前記共通電圧補償回路は、前記第１共通配線を経た前記共通電圧を利用して補償された共通電圧を生成することを特徴とする請求項２に記載の液晶表示装置。
【請求項６】
前記第１基板の非表示領域に形成されて前記第１共通配線と前記共通電圧を連結する複数の導電−ドットをさらに含むことを特徴とする請求項１に記載の液晶表示装置。
【請求項７】
前記複数の導電−ドットは、銀（Ａｇ）を含むことを特徴とする請求項６に記載の液晶表示装置。
【請求項８】
前記複数の導電−ドットは、前記第１基板の角部に形成される第１ないし第４導電−ドットを含むことを特徴とする請求項６に記載の液晶表示装置。
【請求項９】
請求項１に記載される液晶表示装置の駆動方法であって、
前記第１共通配線に共通電圧を供給する段階と；
前記第１共通配線を経た前記共通電圧を利用して補償された共通電圧を生成する段階と；
前記第１共通配線に前記補償された共通電圧を供給する段階と
を含むことを特徴とする液晶表示装置の駆動方法。
【請求項１０】
前記補償された共通電圧は、前記第１基板の第１辺に隣接した共通電圧補償回路で生成されることを特徴とする請求項９に記載の液晶表示装置の駆動方法。
【請求項１１】
前記第１基板と向かい合って離隔された第２基板の全面に形成された共通電極に前記共通電圧を印加する段階をさらに含むことを特徴とする請求項９に記載の液晶表示装置の駆動方法。
【請求項１２】
前記共通電圧を、前記第１基板の２辺と、前記第１基板の第２辺と連結する複数のゲート駆動ユニットに形成される第２共通配線に供給する段階をさらに含むことを特徴とする請求項９に記載の液晶表示装置の駆動方法。
【発明の詳細な説明】
【技術分野】
【０００１】
本発明は液晶表示装置に関するものであって、特に液晶パネル全体にかけて均等な共通電圧印加及び共通電圧補償が可能なように共通配線が形成された液晶表示装置に関する。
【背景技術】
【０００２】
ディスプレイ装置のうち特に液晶表示装置は、小型及び薄形化と低電力消耗の長所を有し、ノートブックコンピューター、事務自動化機器、オーディオ／ビデオ機器等に利用されている。特に、スイッチ素子で薄膜トランジスタ（以下“ＴＦＴ”と言う）が利用されるアクティブマトリックスタイプの液晶表示装置は、動的なイメージを表示するのに好適である。
【０００３】
このような液晶表示装置は、液晶パネルにおける映像表示のためにはそれぞれの液晶画素毎にデータドライバ（Data Driving IC）から供給されるアナログ映像信号との電圧差を作って液晶分子を回転させるための共通電圧（Ｖｃｏｍ）を供給しなければならない。
【０００４】
図１は、従来技術による液晶表示装置の共通電圧供給方法を説明するための平面構成図で、駆動ＰＣＢユニット５０と液晶パネル６０とデータ駆動ユニット７２、７４、７６及びゲート駆動ユニット８２、８４、８６の構成のみを示した。
【０００５】
前記駆動ＰＣＢユニット５０は、タイミングコントローラ、電源供給回路、ガンマ基準電圧生成回路等の駆動回路が実装されており、また、共通電圧供給とその補償のための共通電圧補償回路５２が構成される。
【０００６】
前記共通電圧補償回路５２は、前記液晶パネル６０に供給された共通電圧をフィードバックされた後基準電圧（または、最初供給された共通電圧）と比較してその差のみをさらに補償して前記液晶パネル６０に供給するための回路部である。
【０００７】
前記液晶パネル６０には、ＴＦＴ基板とカラーフィルター基板間に液晶が充填されて複数の液晶画素を構成しており、また、前記ＴＦＴ基板は表示領域外部のエッジ部に銀（Ａｇ）等を利用した複数の導電−ドットＡｇ１ないしＡｇ４が構成されて前記共通電圧補償回路５２から出力された共通電圧を前記カラーフィルター基板に形成された共通電極に伝達する。
【０００８】
共に前記液晶パネル６０の一側端部には、データドライバＩＣ（図示せず）が実装された第１データ駆動ユニットないし第３データ駆動ユニット７２、７４、７６が前記駆動ＰＣＢユニット５０と連結されて、また、前記液晶パネル６０の他側端部には、ゲートドライバＩＣ（図示せず）が実装された第１ゲート駆動ユニットないし第３ゲート駆動ユニット８２、８４、８６が構成される。前記それぞれの駆動ユニットは、ＴＣＰまたは、ＦＰＣを利用して構成される。
【０００９】
前記した構成の液晶表示装置で、前記共通電圧補償回路５２から出力された共通電圧は、前記第１データ駆動ユニット７２を介して液晶パネル６０に流入した後、第１ないし第３共通配線ＶＬ１、ＶＬ２、ＶＬ３を介して第１ないし第４導電−ドットＡｇ１ないしＡｇ４に伝達される。第１共通配線ＶＬ１は、液晶パネル６０の３辺に対応する非表示領域に形成されて、第２共通配線ＶＬ２は、第１ないし第３ゲート駆動ユニット８２、８４、８６に形成されて、第３共通配線ＶＬ３は、第１ないし第３データ駆動ユニット７２、７４、７６に隣接した液晶パネル６０の１辺に対応する非表示領域に形成される。第１ないし第４導電−ドットＡｇ１ないしＡｇ４を介して伝達された共通電圧は、第２基板の共通電極に印加される。共通電極を経た共通電圧は、フィードバック電圧として第３データ駆動ユニット（７６）を介して共通電圧補償回路５２に入力されて、共通電圧補償回路５２は液晶パネル６０を経た共通電圧を利用して補償された共通電圧を生成して液晶パネル６０に再び供給する。
【００１０】
第１共通配線ＶＬ１は、共通電圧のための第１ループＬＯＯＰ１を形成して、第１共通配線ＶＬ１の一部と第２共通配線ＶＬ２は、共通電圧のための第２ループＬＯＯＰ２を形成して、第１及び第４導電−ドットＡｇ１、Ａｇ４間の第３共通配線ＶＬ３は、共通電圧のための第３ループＬＯＯＰ３を形成する。したがって、共通電圧は、第１ないし第３ループＬＯＯＰ１ないしＬＯＯＰ３を介して第１ないし第４導電−ドットＡｇ１ないしＡｇ４に伝達されて第２基板の共通電極に伝達される。
【００１１】
しかし、第１ないし第３共通配線ＶＬ１ないしＶＬ３は、相異なる長さを有して相異なる形態で配置されるので、第１ないし第３ループＬＯＯＰ１ないしＬＯＯＰ３は、相異なる抵抗及び相異なる静電容量を有するようになる。例えば、最小長さの第３ループＬＯＯＰ３を介して伝達される共通電圧の電圧降下は、最小になる。結果的に、共通電圧の電流大部分は、第３ループＬＯＯＰ３を介して流れて、共通電圧補償回路５２で生成されて補償された共通電圧は、第３ループＬＯＯＰ３と第１及び第４導電−ドットＡｇ１、Ａｇ４間の共通電極における電圧降下のみを反映したものになる。したがって、共通電圧補償回路５２は、液晶パネル６０の上段部領域Ａにおける電圧降下を補償する反面、液晶パネル６０の中段部Ｂ及び下段部Ｃにおける電圧降下は、補償できない。このような液晶パネル６０の中段部領域Ｂ及び下段部領域Ｃにおける電圧降下は、グリーニッシュ（greenish）現象のような表示品質の低下をもたらす。
【００１２】
また、電圧降下によって補償された共通電圧が共通電極の全体に完全に印加されなくなる。図２Ａ及び図２Ｂは、それぞれ前述した図１による従来技術の液晶表示装置の共通配線ＶＬ１、ＶＬ２、ＶＬ３構造で測定された共通電圧補償回路（図１の５２）から出力される補償された共通電圧とカラーフィルター基板の共通電極下段部領域（図１のＣ）で測定された共通電圧を示す。
【００１３】
図２Ａ及び図２Ｂに示したように、約±６Ｖの補償共通電圧をカラーフィルター基板の共通電極に印加しても実際に共通電極の下段部領域（図１のＣ）に印加される電圧は、約±２Ｖ内外にその補償比率が非常に低いことが分かる。
【発明の開示】
【発明が解決しようとする課題】
【００１４】
本発明は、前記のような問題点を解決するために案出したものであって、共通電極全体領域にかけた均等な共通電圧補償を介して表示品質を改善することを目的とし、このために最適の共通電圧補償が実現されることができる共通配線構造を有した液晶表示装置を提供することを目的とする。
【課題を解決するための手段】
【００１５】
前記のような目的を達成するために本発明は、表示領域と前記表示領域を囲む非表示領域が定義され、第１ないし第４辺を有する第１基板と；前記第１基板の第２ないし第４辺に対応する前記非表示領域に形成される第１共通配線と；前記第１基板と向かい合って離隔された第２基板と；前記第２基板の全面に形成される共通電極と；前記第１及び第２基板間に形成される液晶層を含む液晶表示装置を提供する。
【００１６】
前記液晶表示装置は、前記第１基板の第２辺に連結される複数のゲート駆動ユニットと；前記第１基板の第１辺に連結される複数のデータ駆動ユニットと；前記第１共通配線に共通電圧を供給する共通電圧補償回路を含み、前記複数のデータ駆動ユニットに連結される駆動ＰＣＢユニットをさらに含むことができる。
【００１７】
また、前記複数のゲート駆動ユニットそれぞれは、ゲートドライバＩＣを含み、前記複数のデータ駆動ユニットそれぞれは、データドライバＩＣを含むことを特徴とする。
【００１８】
一方、前記液晶表示装置は、前記ゲート駆動ユニットと前記第１基板の第２辺に形成されてジグザグ形状を有する第２共通配線をさらに含むことができる。
【００１９】
前記共通電圧補償回路は、前記第１共通配線を経た前記共通電圧を利用して補償された共通電圧を生成することを特徴とする。
【００２０】
前記液晶表示装置は、前記第１基板の非表示領域に形成されて前記第１共通配線と前記共通電圧を連結する複数の導電−ドットをさらに含むことができ、この場合前記複数の導電−ドットは銀（Ａｇ）を含むことを特徴として、前記複数の導電−ドットは、前記第１基板の角部に形成される第１ないし第４導電−ドットを含むことを特徴とする。
【００２１】
一方、本発明は、第１ないし第４辺を有する第１基板上に前記第２ないし第４辺に対応するように形成された第１共通配線に共通電圧を供給する段階と；前記第１共通配線を経た前記共通電圧を利用して補償された共通電圧を生成する段階と；前記第１共通配線に前記補償された共通電圧を供給する段階を含む液晶表示装置の駆動方法を提供する。
【００２２】
前記補償された共通電圧は、前記第１基板の第１辺に隣接した共通電圧補償回路で生成されることを特徴とする。
【００２３】
そして、前記液晶表示装置の駆動方法は、前記第１基板と向かい合って離隔された第２基板の全面に形成された共通電極に前記共通電圧を印加する段階をさらに含むことができ、前記共通電圧を、前記第１基板の２辺と、前記第１基板の第２辺と連結する複数のゲート駆動ユニットに形成される第２共通配線に供給する段階をさらに含むことができる。
【発明の効果】
【００２４】
本発明によると、共通電極に供給される共通電圧の実供給率を高めることによってグリーニッシュ等の画像不良が改善されて、また、共通配線を縮小することによって配線設計が容易になることはもちろんであって、製造費用も節減される長所がある。
【発明を実施するための最良の形態】
【００２５】
以下添付された図面を参照して本発明に対して詳細に説明する。
【００２６】
図３は、本発明による液晶表示装置の平面構成図で、特に駆動ＰＣＢユニット１１０と液晶パネル１２０とデータ駆動ユニット１３２、１３４、１３６及びゲート駆動ユニット１４２、１４４、１４６の構成のみを示して第１及び第２共通配線ＶＬ１、ＶＬ２の構成特徴が強調されるように示した。
【００２７】
前記駆動ＰＣＢユニット１１０は、タイミングコントローラ、電源供給回路、ガンマ基準電圧生成回路等複数の駆動回路が実装されており、また、共通電圧供給とその補償のための共通電圧補償回路１１２が構成される。
【００２８】
前記共通電圧補償回路１１２は、前記液晶パネル１２０に共通電圧を供給して、また前記液晶パネル１２０に供給された共通電圧をフィードバックされた後基準電圧（または、最初供給された共通電圧）と比較してその差のみをさらに補償して前記液晶パネル１２０に供給するための回路部である。
【００２９】
前記液晶パネル１２０は、カラーフィルター及び共通電極が形成された第１基板（以下カラーフィルター基板）と薄膜トランジスタが形成された第２基板（以下ＴＦＴ基板）との間に液晶が充填されて複数の液晶画素を構成しており、第１ないし第４辺Ｓ１ないしＳ４を含む。そして、前記ＴＦＴ基板とカラーフィルター基板間の表示領域外部のエッジ部（Edge area）には、銀（Ａｇ）等を利用した複数の導電−ドットＡｇ１ないしＡｇ４が構成されて、前記共通電圧補償回路１１２から出力された共通電圧を前記カラーフィルター基板上にＩＴＯまたは、ＩＺＯのような透明導電性物質で形成された共通電極に伝達する。
【００３０】
共に前記液晶パネル１２０の第１辺Ｓ１には、データドライバＩＣ（図示せず）が実装された第１ないし第３データ駆動ユニット１３２、１３４、１３６が前記駆動ＰＣＢユニット１１０と連結されて、また、前記液晶パネル１２０の第２辺Ｓ２には、ゲートドライバＩＣ（図示せず）が実装された第１ないし第３ゲート駆動ユニット１４２、１４４、１４６が構成される。前記それぞれの駆動ユニットは、ＴＣＰまたは、ＦＰＣを利用して構成される。
【００３１】
共通電圧補償回路１１２から出力された共通電圧は、第１データ駆動ユニット１３２を介して液晶パネル１１２に供給されて、第１及び第２共通配線ＶＬ１、ＶＬ２を介して第１ないし第４導電−ドットＡｇ１ないしＡｇ４に伝達される。第１共通配線ＶＬ１は、液晶パネル１２０のＴＦＴ基板の側端部の中第１ないし第３データ駆動ユニット１３２、１３４、１３６が連結されない側端部、すなわち第２ないし第４辺Ｓ２ないしＳ４に対応する非表示領域に形成されて全体的にＵ字形態を有する。また、第２共通配線ＶＬ２は、第１ないし第３ゲート駆動ユニット１４２、１４４、１４６とＴＦＴ基板の第２辺Ｓ２に対応する非表示領域に形成されて、ジグザグ形状を有する。共通電圧補償回路１１２に隣接した液晶パネル１２０の第１辺Ｓ１に対応する非表示領域には共通配線が形成されない。したがって、第１共通配線ＶＬ１は、共通電圧補償回路１１２に隣接した液晶パネル１２０の一辺を除いた残り三辺に対応する非表示領域に排他的に形成される。
【００３２】
第１ないし第４導電−ドットＡｇ１ないしＡｇ４に伝達された共通電圧は、カラーフィルター基板の共通電極に印加される。共通電極を経た共通電圧は、データ駆動ユニット１３６を介して共通電圧補償回路１１２にフィードバック電圧として入力されて、共通電圧補償回路１１２は、液晶パネル１２０を経た共通電圧（フィードバック電圧）を利用して補償された共通電圧を生成する。その後、共通電圧補償回路１１２は、液晶パネル１２０に補償された共通電圧を再び供給する。
【００３３】
第１共通配線ＶＬ１は、共通電圧のための経路で第１ループＬＯＯＰ１を形成して、第３及び第４辺Ｓ３、Ｓ４に対応する第１共通配線ＶＬ１の一部と第２共通配線ＶＬ２は、共通電圧のための経路で第２ループＬＯＯＰ２を形成する。共通電圧はＴＦＴ基板の第１及び第２ループＬＯＯＰ１及びＬＯＯＰ２を介して第１ないし第４導電−ドットＡｇ１ないしＡｇ４に伝達されてカラーフィルター基板の共通電極に印加される。第１及び第２ループＬＯＯＰ１、ＬＯＯＰ２は、互いに実質的に同じ抵抗及び静電容量を有するので、共通電圧を伝達する電流は、第２ないし第４辺Ｓ２ないしＳ４に対応する第１ループＬＯＯＰ１と、第１ないし第３ゲート駆動ユニット１４２、１４４、１４６と第３及び第４辺Ｓ３、Ｓ４に対応する第２ループＬＯＯＰ２を介して流れるようになる。結果的に、共通電圧補償回路１１２で生成されて補償された共通電圧は、第１及び第２ループＬＯＯＰ１、ＬＯＯＰ２における電圧降下と、第１及び第４導電−ドットＡｇ１、Ａｇ４を介した共通電極における電圧降下と、第２及び第３導電−ドットＡｇ２、Ａｇ３を介した共通電極における電圧降下を反映した値になる。それゆえ、共通電圧補償回路１１２は、液晶パネル１２０の上段領域Ａ、中段領域Ｂ、下段領域Ｃを含む全体領域における電圧降下を補償でき、液晶パネル１２０の中段領域Ｂ及び下段領域Ｃにおけるグリーニッシュ現象のような表示品質低下を防止できる。
【００３４】
本発明による液晶表示装置で、液晶パネル１２０は、第１及び第４導電−ドットＡｇ１、Ａｇ４を直接連結するループを含まないので、共通電圧は、第１及び第２ループＬＯＯＰ１、ＬＯＯＰ２を介して第１ないし第４導電−ドットＡｇ１ないしＡｇ４と共通電極全体に均一に印加される。したがって、共通電圧補償回路１１２に入力される共通電圧は、第１及び第２共通配線ＶＬ１、ＶＬ２と共通電極全体における電圧降下を反映する。そして、共通電圧補償回路１１２がこのような共通電圧を基準にして補償された共通電圧を生成するので、補償された共通電圧は、液晶パネル１２０の全部分における電圧降下を反映することができてグリーニッシュ現象のような液晶パネル１２０の特性悪化を防止できる。
【００３５】
図４Ａ及び図４Ｂは、本発明による液晶表示装置の共通配線（図３のＶＬ１、ＶＬ２）構造において、共通電圧補償回路（図３の１１２）から出力される補償された共通電圧とカラーフィルター基板の共通電極下段領域（図２のＣ）で測定された共通電圧を示した出力グラフである。
【００３６】
図４Ａ及び図４Ｂに示したように、前記共通電圧補償回路１１２で約±６Ｖの補償された共通電圧を出力して、共通電極下段領域（図２のＣ）で測定される電圧は、約±５〜６Ｖ間の値で実際供給された電圧レベルとほとんど差が無いことがわかる。
【００３７】
すなわち、補償された共通電圧は、実際液晶パネルにおける電圧降下を適切に補償しており、カラーフィルター基板の共通電極に印加される補償された共通電圧によってグリーニッシュ現象が減少される効果を提供することができる。
【図面の簡単な説明】
【００３８】
【図１】従来技術による液晶表示装置を説明するための平面構成図である。
【図２Ａ】従来技術の液晶表示装置の共通配線ＶＬ１、ＶＬ２、ＶＬ３構造で測定された共通電圧補償回路から出力される補償された共通電圧を示した出力グラフである。
【図２Ｂ】従来技術の液晶表示装置のカラーフィルター基板の共通電極下段部領域で測定された共通電圧を示した出力グラフである。
【図３】本発明による液晶表示装置を説明するための平面構成図である。
【図４Ａ】本発明による液晶表示装置の共通配線（ＶＬ１、ＶＬ２）構造において、共通電圧補償回路から出力される補償された共通電圧を示した出力グラフである。
【図４Ｂ】本発明による液晶表示装置のカラーフィルター基板の共通電極下段領域で測定された共通電圧を示した出力グラフである。
【符号の説明】
【００３９】
１１０：駆動ＰＣＢユニット
１２０：液晶パネル
１３２、１３４、１３６：データ駆動ユニット
１４２、１４４、１４６：ゲート駆動ユニット
ＶＬ１、ＶＬ２：第１及び第２共通配線
【図１】
0005078851.tif 000002
【図２Ａ】
0005078851.tif 000003
【図２Ｂ】
0005078851.tif 000004
【図３】
0005078851.tif 000005
【図４Ａ】
0005078851.tif 000006
【図４Ｂ】
0005078851.tif 000007